(57)【特許請求の範囲】
【請求項１】
ハンドオーバー制御方法であって、
第１ネットワーク側機器は第２ネットワーク側機器に第１ハンドオーバー要求を送信し、前記第１ネットワーク側機器は第１ネットワークに適用され、前記第２ネットワーク側機器は第２ネットワークに適用され、端末は前記第１ネットワークにアタッチし、前記第１ハンドオーバー要求は前記端末の第１端末情報を含み、前記第１端末情報は前記第２ネットワーク側機器が第１端末情報がハンドオーバー操作を開始するプリセット条件を満たすと決定すると、前記第２ネットワークのハンドオーバー準備リソースを前記端末に設定することに用いられるステップを含み、
前記第１ネットワーク側機器は、第２ネットワーク側機器に第１ハンドオーバー要求を送信した後、前記方法はさらに、
前記第１ネットワーク側機器は、前記第２ネットワーク側機器から送信したハンドオーバー準備確認メッセージを受信して、前記第２ネットワークのハンドオーバー計測設定を前記端末に送信し、前記ハンドオーバー計測設定は、前記端末が前記第２ネットワークのネットワークチャンネル条件を計測して第１計測結果を取得して、前記第１計測結果が第１計測イベントを満たすと検出すると、ハンドオーバー確認メッセージを前記第２ネットワーク側機器に送信することに用いられ、前記ハンドオーバー確認メッセージは、前記ハンドオーバー準備リソースに基づいて前記端末のハンドオーバー操作を完了させるように前記第２ネットワーク側機器に指示することに用いられるステップを含み、
前記第１ネットワーク側機器は、前記第２ネットワーク側機器から送信したハンドオーバー準備確認メッセージを受信した後、前記方法はさらに、
前記第１ネットワーク側機器は、前記第２ネットワーク側機器から送信したリソース解放メッセージを受信して、前記第２ネットワークのハンドオーバー準備リソースを解放し、前記リソース解放メッセージは、前記第２ネットワーク側機器が前記端末の第２端末情報を取得して、前記第２端末情報がハンドオーバー準備リソースを解放するプリセット条件を満たすと決定すると送信されるものであるステップを含む、ことを特徴とするハンドオーバー制御方法。
【請求項２】
第１ネットワーク側機器は、第２ネットワーク側機器に第１ハンドオーバー要求を送信する前、前記方法はさらに、
前記第１ネットワーク側機器は、前記端末から送信した第２計測結果を受信し、前記第２計測結果は前記端末がプリセット計測設定に従って少なくとも１つのネットワークを計測して得るものであって、しかも前記第２計測結果は第２計測イベントを満たすステップと、
前記第１ネットワーク側機器は、前記第２計測結果に基づいて、前記第２ネットワークを含む前記少なくとも１つのネットワークのうちの少なくとも１つの候補ネットワークを決定するステップとを含む、ことを特徴とする請求項１に記載の方法。
【請求項３】
前記方法はさらに、
前記第１ネットワーク側機器は第３ネットワーク側機器に第２ハンドオーバー要求を送信し、前記第２ハンドオーバー要求は前記端末の第３端末情報を含み、前記第３ネットワーク側機器は第３ネットワークに適用され、前記第３端末情報は前記第３ネットワーク側機器が前記第３端末情報がハンドオーバー操作を開始するプリセット条件を満たさないと決定すると、前記第１ネットワーク側機器にハンドオーバー準備拒否メッセージを送信することに用いられるステップと、
前記第１ネットワーク側機器は、前記ハンドオーバー準備拒否メッセージを受信して、前記第３ネットワークのハンドオーバー準備リソースを解放するステップとを含む、ことを特徴とする請求項１又は２に記載の方法。
【請求項４】
ネットワーク側機器であって、第１ネットワーク側機器、第２ネットワーク側機器、第３ネットワーク側機器及び端末を備えるモバイル通信システムに適用され、前記ネットワーク側機器は、前記第１ネットワーク側機器であり、前記ネットワーク側機器は、処理ユニット及び通信ユニットを備え、
前記処理ユニットは、前記通信ユニットを介して前記第２ネットワーク側機器に第１ハンドオーバー要求を送信し、前記第１ネットワーク側機器は、第１ネットワークに適用され、前記第２ネットワーク側機器は、第２ネットワークに適用され、端末が前記第１ネットワークにアタッチし、前記第１ハンドオーバー要求は、前記端末の第１端末情報を含み、前記第１端末情報は、前記第２ネットワーク側機器が前記第１端末情報がハンドオーバー操作を開始するプリセット条件を満たすと決定すると、前記第２ネットワークのハンドオーバー準備リソースを前記端末に設定することに用いられ、
前記処理ユニットは、前記通信ユニットを介して第２ネットワーク側機器に第１ハンドオーバー要求を送信した後、さらに、前記通信ユニットを介して、前記第２ネットワーク側機器から送信したハンドオーバー準備確認メッセージを受信し、前記通信ユニットを介して前記第２ネットワークのハンドオーバー計測設定を前記端末に送信し、前記ハンドオーバー計測設定は、前記端末が前記第２ネットワークのネットワークチャンネル条件を計測して第１計測結果を取得して、前記第１計測結果が第１計測イベントを満たすと検出すると、ハンドオーバー確認メッセージを前記第２ネットワーク側機器に送信し、前記ハンドオーバー確認メッセージは、前記ハンドオーバー準備リソースに基づいて前記端末のハンドオーバー操作を完了させるように前記第２ネットワーク側機器に指示することに用いられ、
前記処理ユニットは、前記通信ユニットを介して前記第２ネットワーク側機器から送信したハンドオーバー準備確認メッセージを受信した後、さらに、前記通信ユニットを介して前記第２ネットワーク側機器から送信したリソース解放メッセージを受信し、前記第２ネットワークのハンドオーバー準備リソースを解放し、前記リソース解放メッセージは、前記第２ネットワーク側機器が前記端末の第２端末情報を取得して、前記第２端末情報がハンドオーバー準備リソースを解放するプリセット条件を満たすと決定すると、前記第２ネットワークのハンドオーバー準備リソースを解放した後に送信されるものである、ことを特徴とするネットワーク側機器。
【請求項５】
前記処理ユニットは、前記通信ユニットを介して第２ネットワーク側機器に第１ハンドオーバー要求を送信する前、さらに、前記通信ユニットを介して前記端末から送信した第２計測結果を受信し、前記第２計測結果は前記端末がプリセット計測設定に従って少なくとも１つのネットワークを計測して得るものであって、しかも前記第２計測結果は第２計測イベントを満たし、また、前記処理ユニットは、前記第２計測結果に基づいて、前記第２ネットワークを含む前記少なくとも１つのネットワークのうちの少なくとも１つの候補ネットワークを決定する、ことを特徴とする請求項４に記載のネットワーク側機器。
【請求項６】
前記処理ユニットはさらに、前記通信ユニットを介して、第３ネットワーク側機器に第２ハンドオーバー要求を送信し、前記第２ハンドオーバー要求は前記端末の第３端末情報を含み、前記第３ネットワーク側機器は第３ネットワークに適用され、前記第３端末情報は前記第３ネットワーク側機器が前記第３端末情報がハンドオーバー操作を開始するプリセット条件を満たさないと決定すると、前記第１ネットワーク側機器にハンドオーバー準備拒否メッセージを送信することに用いられ、また、前記処理ユニットは前記通信ユニットを介して前記ハンドオーバー準備拒否メッセージを受信し、前記第３ネットワークのハンドオーバー準備リソースを解放する、ことを特徴とする請求項４又は５に記載のネットワーク側機器。
【請求項７】
ネットワーク側機器であって、第１ネットワーク側機器、第２ネットワーク側機器、第３ネットワーク側機器及び端末を備えるモバイル通信システムに適用され、前記ネットワーク側機器は、前記第２ネットワーク側機器であり、前記ネットワーク側機器は、処理ユニット及び通信ユニットを備え、
前記処理ユニットは、前記通信ユニットを介して第１ネットワーク側機器から送信した第１ハンドオーバー要求を受信し、前記第１ネットワーク側機器は、第１ネットワークに適用され、前記第２ネットワーク側機器は、第２ネットワークに適用され、端末が前記第１ネットワークにアタッチし、前記第１ハンドオーバー要求は、前記端末の第１端末情報を含み、また、前記処理ユニットは、前記第１端末情報がハンドオーバー操作を開始するプリセット条件を満たすと決定すると、前記第２ネットワークのハンドオーバー準備リソースを前記端末に設定し、
前記処理ユニットは、前記第２ネットワークのハンドオーバー準備リソースを前記端末に設定した後、さらに、前記通信ユニットを介してハンドオーバー準備確認メッセージを前記第１ネットワーク側機器に送信し、前記ハンドオーバー準備確認メッセージは、前記第２ネットワークのハンドオーバー計測設定を前記端末に送信するように前記第１ネットワーク側機器に指示することに用いられ、前記ハンドオーバー計測設定は、前記端末が前記第２ネットワークのネットワークチャンネル条件に対する第１計測結果が第１計測イベントを満たすと検出すると、ハンドオーバー確認メッセージを前記第２ネットワーク側機器に送信することに用いられ、また、前記処理ユニットは、前記通信ユニットを介して前記端末から送信したハンドオーバー確認メッセージを受信し、前記ハンドオーバー準備リソースに基づいて前記端末のハンドオーバー操作を完了させ、
前記処理ユニットは、前記ハンドオーバー準備リソースに基づいて前記端末のハンドオーバー操作を完了させた後、さらに、前記通信ユニットを介して前記端末の第２端末情報を取得し、前記第２端末情報がハンドオーバー準備リソースを解放するプリセット条件を満たすと決定すると、前記第２ネットワークのハンドオーバー準備リソースを解放し、又は、
前記処理ユニットは、前記ハンドオーバー準備リソースに基づいて前記端末のハンドオーバー操作を完了させた後、さらに、前記通信ユニットを介して前記端末の第２端末情報を取得し、前記第２端末情報がハンドオーバー準備リソースを解放するプリセット条件を満たすと決定すると、前記通信ユニットを介して、前記第２ネットワークのハンドオーバー準備リソースを解放するように前記第１ネットワーク側機器に指示するためのリソース解放メッセージを、前記第１ネットワーク側機器に送信する、ことを特徴とするネットワーク側機器。
【請求項８】
前記処理ユニットは、前記通信ユニットを介して第２ネットワーク側機器から送信したアクセス関連情報を受信し、また、前記処理ユニットは、前記アクセス関連情報に基づいて、前記第２ネットワークを候補ネットワークとして決定し、前記第１ハンドオーバー要求を前記第２ネットワーク側機器に送信する、ことを特徴とする請求項４に記載のネットワーク側機器。
【請求項９】
前記処理ユニットは、前記アクセス関連情報に基づいて、前記第２ネットワークを候補ネットワークとして決定する前、さらに、前記通信ユニットを介して、前記端末が報告した第１計測結果を受信し、前記第１計測結果は前記端末がプリセット計測設定に従って前記第２ネットワークを計測して得るものであって、しかも前記第１計測結果は第１計測イベントを満たし、
前記処理ユニットは、具体的には、前記第１計測結果及び前記アクセス関連情報に基づいて、前記第２ネットワークを候補ネットワークとして決定する、ことを特徴とする請求項８に記載のネットワーク側機器。
【発明の詳細な説明】
【技術分野】
【０００１】
本発明は、通信技術分野に関し、特にハンドオーバー制御方法、ネットワーク側機器及びシステムに関する。
【背景技術】
【０００２】
現在、第４世代（４ｔｈ  Ｇｅｎｅｒａｔｉｏｎ、４Ｇ）モバイル通信ネットワーク、たとえば長期進化（Ｌｏｎｇ  Ｔｅｒｍ  Ｅｖｏｌｕｔｉｏｎ、ＬＴＥ）ネットワークは、広いカバレッジを達成している。しかし、モノのインターネット、車のインターネットなどのネットワークへのニーズが生まれるにつれて、ユーザによる次世代モバイル通信ネットワークである第５世代（５ｔｈ  Ｇｅｎｅｒａｔｉｏｎ、５Ｇ）モバイル通信ネットワークへの需要が多くなる。モバイル通信システムでは、ハンドオーバーは、不可欠な重要な機能である。１つの基地局のカバレッジエリアが限られるが、端末の移動に連れて通信の連続性を保持するために、端末とネットワークとの無線接続が１つのネットワーク（セル）から別のネットワーク（セル）に移さなければならず、それをハンドオーバーと呼ぶ。
【０００３】
５Ｇ通信システムでは、ハンドオーバーの遅延を減少させるために、端末に基づくネットワークハンドオーバー技術が導入されている。具体的には、以下の手順を含む。現在、端末が第１サービスネットワークにアタッチしており、第１サービスネットワークの第１ネットワーク側機器が端末のためにネットワークハンドオーバーを実行するための計測設定及び第１計測イベントを設定し、端末がこの計測設定に従って複数のネットワークに対して計測を行う。少なくとも１つのネットワークに対する計測結果第が１計測イベントを満たすと、端末は、第１ネットワーク側機器にこの少なくとも１つのネットワークの計測レポートを報告し、第１ネットワーク側機器は、端末が報告した計測レポートに基づいて、端末のために少なくとも１つのネットワークのうちの少なくとも１つの候補ネットワークを決定し、且つ、端末のためにこの少なくとも１つの候補ネットワークにハンドオーバーする第２計測イベントを設定し、この少なくとも１つの候補ネットワークのうちの第２ネットワークのチャンネル条件に対する計測結果が第２計測イベントを満たすと検出すると、端末は、第２ネットワークへハンドオーバー操作を行う。
【０００４】
上記過程において、少なくとも１つの候補ネットワークは、ハンドオーバー操作を実行するために、端末のために対応するハンドオーバー準備リソースを割り当て、該リソースは、たとえば、ランダムアクセスリソース、候補ネットワークにおける端末の仮識別子などを含む。複数の候補ネットワークがすべて端末にハンドオーバー準備リソースを割り当てているが、端末は、ある期間内に、ある候補ネットワークにハンドオーバーしない可能性があり、又はこの候補ネットワークにそもそもハンドオーバーしようともしないため、このような場合、候補ネットワークにおけるハンドオーバー準備リソースの無駄となる。
【発明の概要】
【発明が解決しようとする課題】
【０００５】
本発明の実施例は、端末情報又はネットワーク状態を利用して端末のハンドオーバー準備リソースを管理することにより、候補ネットワークのリソース使用効率を高めることを意図するハンドオーバー制御方法、ネットワーク側機器及びシステムを提供する。
【課題を解決するための手段】
【０００６】
第１態様によれば、本発明の実施例は、ハンドオーバー制御方法を提供し、
第１ネットワーク側機器は第２ネットワーク側機器に第１ハンドオーバー要求を送信し、前記第１ネットワーク側機器は第１ネットワークに適用され、前記第２ネットワーク側機器は第２ネットワークに適用され、端末は前記第１ネットワークにアタッチし、前記第１ハンドオーバー要求は前記端末の第１端末情報を含み、前記第１端末情報は前記第２ネットワーク側機器が第１端末情報がハンドオーバー操作を開始するプリセット条件を満たすと決定すると、前記第２ネットワークのハンドオーバー準備リソースを前記端末に設定することに用いられるステップを含む。
【０００７】
以上により分かるように、本発明の実施例では、第１ネットワーク側機器は第２ネットワーク側機器に第１ハンドオーバー要求を送信し、該第１ハンドオーバー要求は端末の第１端末情報を含み、該第１端末情報は第２ネットワーク側機器が第１端末情報がハンドオーバー操作を開始するプリセット条件を満たすと決定すると、第２ネットワークへハンドオーバーするハンドオーバー準備リソースを端末に設定することに用いられる。以上により分かるように、第１ネットワーク側機器が第２ネットワーク側機器に端末の第１端末情報を伝送した後、第２ネットワーク側機器は、該第１端末情報に基づいてハンドオーバー操作を開始できるか否かを決定し、条件を満たすと決定する場合にのみ、ハンドオーバー準備リソースを設定し、それによって、第２ネットワーク側機器が盲目的にハンドオーバー準備リソースを設定することによる候補ネットワークのリソースの無駄を防止し、候補ネットワークのリソース使用効率向上に寄与する。
【０００８】
１つの可能な態様では、前記第１ネットワーク側機器は、第２ネットワーク側機器に第１ハンドオーバー要求を送信した後、前記方法はさらに、
前記第１ネットワーク側機器は、前記第２ネットワーク側機器から送信したハンドオーバー準備確認メッセージを受信して、前記第２ネットワークのハンドオーバー計測設定を前記端末に送信し、前記ハンドオーバー計測設定は、前記端末が前記第２ネットワークのネットワークチャンネル条件を計測して第１計測結果を取得して、前記第１計測結果が第１計測イベントを満たすと検出すると、ハンドオーバー確認メッセージを前記第２ネットワーク側機器に送信することに用いられ、前記ハンドオーバー確認メッセージは、前記ハンドオーバー準備リソースに基づいて前記端末のハンドオーバー操作を完了させるように前記第２ネットワーク側機器に指示することに用いられるステップを含む。
【０００９】
１つの可能な態様では、前記第１ネットワーク側機器は、前記第２ネットワーク側機器から送信したハンドオーバー準備確認メッセージを受信した後、前記方法はさらに、
前記第１ネットワーク側機器は、前記第２ネットワーク側機器から送信したリソース解放メッセージを受信して、前記第２ネットワークのハンドオーバー準備リソースを解放し、前記リソース解放メッセージは、前記第２ネットワーク側機器が前記端末の第２端末情報を取得して、前記第２端末情報がハンドオーバー準備リソースを解放するプリセット条件を満たすと決定すると、前記第２ネットワークのハンドオーバー準備リソースを解放した後に送信されるものであるステップを含む。
【００１０】
以上により分かるように、本態様では、第１ネットワーク側機器は、前記第２ネットワーク側機器から送信したリソース解放メッセージを受信し、前記第２ネットワークのハンドオーバー準備リソースを解放することができ、これによって、不要なリソースオーバーヘッドを避け、第１ネットワークのリソース利用率向上に寄与する。
【００１１】
１つの可能な態様では、第１ネットワーク側機器は、第２ネットワーク側機器に第１ハンドオーバー要求を送信する前、前記方法はさらに、
前記第１ネットワーク側機器は、前記端末から送信した第２計測結果を受信し、前記第２計測結果は前記端末がプリセット計測設定に従って少なくとも１つのネットワークを計測して得るものであって、しかも前記第２計測結果は第２計測イベントを満たすステップと、
前記第１ネットワーク側機器は、前記第２計測結果に基づいて、前記第２ネットワークを含む前記少なくとも１つのネットワークのうちの少なくとも１つの候補ネットワークを決定するステップとを含む。
【００１２】
１つの可能な態様では、前記少なくとも１つの候補ネットワークはさらに、第３ネットワークを備え、前記方法はさらに、
前記第１ネットワーク側機器は第３ネットワーク側機器に第２ハンドオーバー要求を送信し、前記第２ハンドオーバー要求は前記端末の第３端末情報を含み、前記第３ネットワーク側機器は前記第３ネットワークに適用され、前記第３端末情報は前記第３ネットワーク側機器が前記第３端末情報がハンドオーバー操作を開始するプリセット条件を満たさないと決定すると、前記第１ネットワーク側機器にハンドオーバー準備拒否メッセージを送信することに用いられるステップと、
前記第１ネットワーク側機器は、前記ハンドオーバー準備拒否メッセージを受信して、前記第３ネットワークのハンドオーバー準備リソースを解放するステップとを含む。
【００１３】
以上により分かるように、本態様では、第１ネットワーク側機器は第３ネットワーク側機器に第２ハンドオーバー要求を送信し、前記第２ハンドオーバー要求は前記端末の第３端末情報を含み、第３ネットワーク側機器が前記第３端末情報がハンドオーバー操作を開始するプリセット条件を満たさないと決定すると、前記第１ネットワーク側機器にハンドオーバー準備拒否メッセージを送信し、第３ネットワークのハンドオーバー準備リソースを解放するように第１ネットワーク側機器に指示し、それによって、端末が第３ネットワークにハンドオーバーしない場合にも第３ネットワークのハンドオーバー準備リソースが持続的に占有されることを避け、第３ネットワークのリソース利用率向上に寄与する。
【００１４】
第２態様によれば、本発明の実施例は、ハンドオーバー制御方法を提供し、
第２ネットワーク側機器は第１ネットワーク側機器から送信した第１ハンドオーバー要求を受信し、前記第１ネットワーク側機器は第１ネットワークに適用され、前記第２ネットワーク側機器は第２ネットワークに適用され、端末は前記第１ネットワークにアタッチし、前記第１ハンドオーバー要求は前記端末の第１端末情報を含むステップと、
前記第２ネットワーク側機器は、前記第１端末情報がハンドオーバー操作を開始するプリセット条件を満たすと決定すると、前記第２ネットワークのハンドオーバー準備リソースを前記端末に設定するステップとを含む。
【００１５】
以上により分かるように、本発明の実施例では、第１ネットワーク側機器は第２ネットワーク側機器に第１ハンドオーバー要求を送信し、該第１ハンドオーバー要求は端末の第１端末情報を含み、該第１端末情報は第２ネットワーク側機器が第１端末情報がハンドオーバー操作を開始するプリセット条件を満たすと決定すると、第２ネットワークへハンドオーバーするハンドオーバー準備リソースを端末に設定することに用いられる。以上により分かるように、第１ネットワーク側機器が第２ネットワーク側機器に端末の第１端末情報を伝送した後、第２ネットワーク側機器は、該第１端末情報に基づいてハンドオーバー操作を開始できるか否かを決定し、条件を満たすと決定する場合にのみ、ハンドオーバー準備リソースを設定し、それによって、第２ネットワーク側機器が盲目的にハンドオーバー準備リソースを設定することによる候補ネットワークのリソースの無駄を防止し、候補ネットワークのリソース使用効率向上に寄与する。
【００１６】
１つの可能な態様では、前記第２ネットワーク側機器は、前記第２ネットワークのハンドオーバー準備リソースを前記端末に設定した後、前記方法はさらに、  
前記第２ネットワーク側機器は、前記第１ネットワーク側機器にハンドオーバー準備確認メッセージを送信して、前記ハンドオーバー準備確認メッセージは、前記第２ネットワークのハンドオーバー計測設定を前記端末に送信するように前記第１ネットワーク側機器に指示することに用いられ、前記ハンドオーバー計測設定は、前記端末が前記第２ネットワークのネットワークチャンネル条件に対する第１計測結果が第１計測イベントを満たすと検出すると、ハンドオーバー確認メッセージを前記第２ネットワーク側機器に送信することに用いられるステップと、
前記第２ネットワーク側機器は、前記端末から送信したハンドオーバー確認メッセージを受信して、前記ハンドオーバー準備リソースに基づいて前記端末のハンドオーバー操作を完了させるステップとを含む。
【００１７】
１つの可能な態様では、前記第２ネットワーク側機器は、前記ハンドオーバー準備リソースに基づいて前記端末のハンドオーバー操作を完了させた後、前記方法はさらに、
前記第２ネットワーク側機器は、前記端末の第２端末情報を取得して、前記第２端末情報がハンドオーバー準備リソースを解放するプリセット条件を満たすと決定すると、前記第２ネットワークのハンドオーバー準備リソースを解放するステップを含む。
【００１８】
以上により分かるように、本態様では、第２ネットワーク側機器は、端末のハンドオーバー操作を完成させた後、さらに端末の第２端末情報を取得し、第２端末情報がハンドオーバー準備リソースを解放するプリセット条件を満たすと決定すると、ハンドオーバー準備リソースを解放する。以上により分かるように、第２ネットワーク側機器は、ハンドオーバー準備リソースをリアルタイムで解放できるため、端末が該ハンドオーバー準備リソースを占用する必要がない場合にも依然として占用することを避け、候補ネットワークのリソース使用効率向上に寄与する。
【００１９】
１つの可能な態様では、前記第２ネットワーク側機器は、前記第２ネットワークのハンドオーバー準備リソースを解放した後、前記方法はさらに、
前記第２ネットワーク側機器は、前記第２ネットワークのハンドオーバー準備リソースを解放するように前記第１ネットワーク側機器に指示するためのリソース解放メッセージを、前記第１ネットワーク側機器に送信するステップを含む。
【００２０】
以上により分かるように、本態様では、第２ネットワーク側機器は、第２ネットワークのハンドオーバー計測設定をリアルタイムで解放するように第１ネットワーク側機器に指示することができ、それによって、第１ネットワーク側機器のリソースが第２ネットワークのハンドオーバー計測設定により占用されることを避け、第１ネットワークのリソース使用効率向上に寄与する。
【００２１】
第３態様によれば、本発明の実施例は、ハンドオーバー制御方法を提供し、
第２ネットワーク側機器は、端末の第２端末情報を取得するステップと、
前記第２ネットワーク側機器は、前記第２端末情報がハンドオーバー準備リソースを解放するプリセット条件を満たすと決定すると、第２ネットワークのハンドオーバー準備リソースを解放し、前記第２ネットワーク側機器は前記第２ネットワークに適用されるステップとを含む。
【００２２】
以上により分かるように、本発明の実施例では、第２ネットワーク側機器は、端末の第２端末情報に基づいて第２ネットワークのハンドオーバー準備リソースを解放することができ、それによって、端末が第２ネットワークにハンドオーバーしない場合にも第２ネットワークのハンドオーバー準備リソースが持続的に占用されることを避け、第２ネットワークのリソース利用効率向上に寄与する。
【００２３】
第４態様によれば、本発明の実施例は、ハンドオーバー制御方法を提供し、
第２ネットワーク側機器は、端末の第２端末情報を取得するステップと、
前記第２ネットワーク側機器は、前記第２端末情報がハンドオーバー準備リソースを解放するプリセット条件を満たすと決定すると、前記第２ネットワークのハンドオーバー準備リソースを解放するように前記第１ネットワーク側機器に指示するためのリソース解放メッセージを、前記第１ネットワーク側機器に送信するステップとを含む。
【００２４】
以上により分かるように、本発明の実施例では、第２ネットワーク側機器は、端末の第２端末情報に基づいて、第２ネットワークのハンドオーバー準備リソースをリアルタイムで解放するように第１ネットワーク側機器に通知することができ、それによって、端末が第２ネットワークにハンドオーバーしない場合にも第２ネットワークのハンドオーバー準備リソースが持続的に占用されることを避け、第２ネットワークのリソース利用効率向上に寄与する。
【００２５】
第５態様によれば、本発明の実施例は、ハンドオーバー制御方法を提供し、
前記第３ネットワークに適用される第３ネットワーク側機器は、第１ネットワーク側機器から送信した、端末の第３端末情報を含む第２ハンドオーバー要求を受信するステップと、
前記第３ネットワーク側機器は、前記第３端末情報がハンドオーバー操作を開始するプリセット条件を満たさないと決定すると、前記第３ネットワークのハンドオーバー準備リソースを解放するように前記第１ネットワーク側機器に指示するためのハンドオーバー準備拒否メッセージを、前記第１ネットワーク側機器に送信するステップとを含む。
【００２６】
以上により分かるように、本発明の実施例では、第３ネットワーク側機器は、端末の第３端末情報に基づいて第１ネットワーク側機器にハンドオーバー準備拒否メッセージを送信し、端末に第３ネットワークのハンドオーバー準備リソースを設定しなく、且つ第３ネットワークにハンドオーバーするためのハンドオーバー計測設定を解放するように第１ネットワーク側機器に指示することができ、第１ネットワーク及び第３ネットワークのリソース利用効率向上に寄与する。
【００２７】
第６態様によれば、本発明の実施例は、ハンドオーバー制御方法を提供し、
第１ネットワークに適用される第１ネットワーク側機器は、第２ネットワークに適用される第２ネットワーク側機器から送信したアクセス関連情報を受信し、端末は前記第１ネットワークにアタッチするステップと、
前記第１ネットワーク側機器は、前記アクセス関連情報に基づいて、前記第２ネットワークを候補ネットワークとして決定し、ハンドオーバー要求を前記第２ネットワーク側機器に送信し、前記ハンドオーバー要求は、前記第２ネットワークのハンドオーバー準備リソースを前記端末に設定するように前記第２ネットワーク側機器に指示することに用いられるステップとを含む。
【００２８】
以上により分かるように、本発明の実施例では、第１ネットワーク側機器は、まずアクセス関連情報を受信し、次に、アクセス関連情報に基づいて、第２ネットワークを候補ネットワークとして決定し、さらに、ハンドオーバー要求を第２ネットワーク側機器に送信し、ハンドオーバー要求は、第２ネットワークにハンドオーバーするためのハンドオーバー準備リソースを端末に設定するように第２ネットワーク側機器に指示することに用いられる。以上により分かるように、第１ネットワーク側機器は、アクセス関連情報に基づいて、複数のネットワークの中から端末ハンドオーバーに使用されうる候補ネットワークを特定し、次に、端末にハンドオーバー準備リソースを設定するように要求によって該候補ネットワークのネットワーク側機器に指示することができ、それによって、すべての候補ネットワークのネットワーク側機器が端末にハンドオーバー準備リソースを設定することによる候補ネットワークのリソースの無駄を避け、つまり、必要に応じて設定することになり、ハンドオーバー要求を受信していない後のネットワークのネットワーク側機器が端末にハンドオーバー準備リソースを設定する必要がなく、それによって、候補ネットワークのリソース利用効率向上に寄与する。
【００２９】
１つの可能な態様では、前記第１ネットワーク側機器は、前記アクセス関連情報に基づいて、前記第２ネットワークを候補ネットワークとして決定する前、前記方法はさらに、
前記第１ネットワーク側機器は、前記端末が報告した第１計測結果を受信し、前記第１計測結果は前記端末がプリセット計測設定に従って前記第２ネットワークを計測して得るものであって、しかも前記第１計測結果は第１計測イベントを満たすステップを含み、
前記第１ネットワーク側機器は、前記アクセス関連情報に基づいて、前記第２ネットワークを候補ネットワークとして決定するステップは、
前記第１ネットワーク側機器は、前記第１計測結果及び前記アクセス関連情報に基づいて、前記第２ネットワークを候補ネットワークとして決定するステップを含む。
【００３０】
以上により分かるように、本態様では、第１ネットワーク側機器は、ネットワーク状態情報及び検出結果の２つの点から対象ネットワークが候補ネットワークとして好適であるか否かを決定し、候補ネットワークを選別するための制限条件が増えるため、最終的に決定された候補ネットワークの数が比較的に減少し、全体的にはネットワークのリソース消費量を低下させて、ネットワークのリソース利用効率を高める。
【００３１】
１つの可能な態様では、前記第１ネットワーク側機器は、前記第２ネットワーク側機器にハンドオーバー要求を送信した後、前記方法はさらに、
前記第１ネットワーク側機器は、前記第２ネットワーク側機器から送信したハンドオーバー準備確認メッセージを受信して、前記第２ネットワークのハンドオーバー計測設定を前記端末に送信し、前記ハンドオーバー計測設定は、前記端末が前記第２ネットワークを計測して第２計測結果を取得して、前記第２計測結果が第２計測イベントを満たすと検出すると、ハンドオーバー確認メッセージを前記第２ネットワーク側機器に送信することに用いられ、前記ハンドオーバー確認メッセージは、前記ハンドオーバー準備リソースに基づいて前記端末のハンドオーバー操作を完了させるように前記第２ネットワーク側機器に指示することに用いられるステップを含む。
【００３２】
１つの可能な態様では、前記アクセス関連情報は、前記第２ネットワークのネットワーク状態情報であり、前記第１ネットワーク側機器は、前記アクセス関連情報に基づいて、前記第２ネットワークを候補ネットワークとして決定するステップは、
前記第１ネットワーク側機器は、前記第２ネットワークのネットワーク状態情報が第１プリセットアクセス条件を満たすと検出すると、前記第２ネットワークを候補ネットワークとして決定するステップを含む。
【００３３】
１つの可能な態様では、前記アクセス関連情報は、前記端末による前記第２ネットワークに対するアクセス制御情報であり、前記第１ネットワーク側機器は、前記アクセス関連情報に基づいて、前記第２ネットワークを候補ネットワークとして決定するステップは、
前記第１ネットワーク側機器は、前記第２ネットワークのアクセス制御情報が第２プリセットアクセス条件を満たすと検出すると、前記第２ネットワークを候補ネットワークとして決定するステップを含む。
【００３４】
第７態様によれば、本発明の実施例は、ハンドオーバー制御方法を提供し、
第２ネットワーク側機器は第１ネットワーク側機器にアクセス関連情報を送信し、前記第１ネットワーク側機器は第１ネットワークに適用され、前記第２ネットワーク側機器は第２ネットワークに適用され、端末は前記第１ネットワークにアタッチし、前記アクセス関連情報は、前記第１ネットワーク側機器が前記第２ネットワークを候補ネットワークとして決定し、前記第２ネットワーク側機器にハンドオーバー要求を送信することに用いられるステップと、
前記第２ネットワーク側機器はハンドオーバー要求を受信して、前記第２ネットワークのハンドオーバー準備リソースを前記端末に設定するステップとを含む。
【００３５】
以上により分かるように、本発明の実施例では、第１ネットワーク側機器は、まず、アクセス関連情報を受信し、次に、アクセス関連情報に基づいて第２ネットワークを候補ネットワークとして決定し、さらに、ハンドオーバー要求を第２ネットワーク側機器に送信し、ハンドオーバー要求は、第２ネットワークにハンドオーバーするためのハンドオーバー準備リソースを端末に設定するように第２ネットワーク側機器に指示することに用いられる。以上により分かるように、第１ネットワーク側機器は、アクセス関連情報に基づいて、複数のネットワークの中から端末ハンドオーバーに使用されうる候補ネットワークを特定し、さらに、ハンドオーバー準備リソースを端末に設定するように要求によって該候補ネットワークのネットワーク側機器に指示することができ、それによって、すべての候補ネットワークのネットワーク側機器が端末にハンドオーバー準備リソースを設定することによる候補ネットワークのリソースの無駄を避け、つまり、必要に応じて設定することになり、ハンドオーバー要求を受信していない後のネットワークのネットワーク側機器が端末にハンドオーバー準備リソースを設定する必要がなく、それによって、候補ネットワークのリソース利用効率向上に寄与する。
【００３６】
１つの可能な態様では、前記第２ネットワーク側機器は、前記第２ネットワークのハンドオーバー準備リソースを前記端末に設定した後、前記方法はさらに、
前記第２ネットワーク側機器は、前記第１ネットワーク側機器にハンドオーバー準備確認メッセージを送信して、前記ハンドオーバー準備確認メッセージは、前記第２ネットワークのハンドオーバー計測設定を前記端末に送信するように前記第１ネットワーク側機器に指示することに用いられ、前記ハンドオーバー計測設定は、前記端末が前記第２ネットワークを計測して第２計測結果を取得して、前記第２計測結果が第２計測イベントを満たすと検出すると、ハンドオーバー確認メッセージを前記第２ネットワーク側機器に送信することに用いられるステップと、
前記第２ネットワーク側機器は、前記ハンドオーバー確認メッセージを受信し、前記ハンドオーバー準備リソースに基づいて前記端末のハンドオーバー操作を完了させるステップとを含む。
【００３７】
第８態様によれば、本発明の実施例は、ネットワーク側機器を提供し、該ネットワーク側機器は、上記方法態様のうちの第１態様の第１ネットワーク側機器の作動を実現する機能を有する。前記機能は、ハードウェアによって実現されてもよいし、ハードウェアが対応するソフトウェアを実行することにより実現されてもよい。前記ハードウェア又はソフトウェアは、上記機能に応じる１つ又は複数のモジュールを備える。
【００３８】
１つの可能な態様では、ネットワーク側機器は、プロセッサを備え、前記プロセッサは、ネットワーク側機器による上記方法における対応する機能の実行をサポートするように配置される。さらに、ネットワーク側機器はさらに送受信器を備えてもよく、前記送受信器は、ネットワーク側機器と端末との間の通信をサポートする。さらに、ネットワーク側機器はさらにメモリを備えてもよく、前記メモリは、プロセッサに結合されて、ネットワーク側機器に必要なプログラム命令及びデータを格納している。
【００３９】
第９態様によれば、本発明の実施例は、ネットワーク側機器を提供し、該ネットワーク側機器は、上記方法態様のうちの第２態様の第２ネットワーク側機器の作動を実現する機能を有する。前記機能は、ハードウェアによって実現されてもよいし、ハードウェアが対応するソフトウェアを実行することにより実現されてもよい。前記ハードウェア又はソフトウェアは、上記機能に応じる１つ又は複数のモジュールを備える。
【００４０】
１つの可能な態様では、ネットワーク側機器は、プロセッサを備え、前記プロセッサは、ネットワーク側機器による上記方法における対応する機能の実行をサポートするように配置される。さらに、ネットワーク側機器はさらに送受信器を備えてもよく、前記送受信器は、ネットワーク側機器と端末との間の通信をサポートする。さらに、ネットワーク側機器はさらにメモリを備えてもよく、前記メモリは、プロセッサに結合されて、ネットワーク側機器に必要なプログラム命令及びデータを格納している。
【００４１】
第１０態様によれば、本発明の実施例は、ネットワーク側機器を提供し、該ネットワーク側機器は、上記方法態様のうちの第３態様の第２ネットワーク側機器の作動を実現する機能を有する。前記機能は、ハードウェアによって実現されてもよいし、ハードウェアが対応するソフトウェアを実行することにより実現されてもよい。前記ハードウェア又はソフトウェアは、上記機能に応じる１つ又は複数のモジュールを備える。
【００４２】
１つの可能な態様では、ネットワーク側機器は、プロセッサを備え、前記プロセッサは、ネットワーク側機器による上記方法における対応する機能の実行をサポートするように配置される。さらに、ネットワーク側機器はさらに送受信器を備えてもよく、前記送受信器は、ネットワーク側機器と端末との間の通信をサポートする。さらに、ネットワーク側機器はさらにメモリを備えてもよく、前記メモリは、プロセッサに結合されて、ネットワーク側機器に必要なプログラム命令及びデータを格納している。
【００４３】
第１１態様によれば、本発明の実施例は、ネットワーク側機器を提供し、該ネットワーク側機器は、上記方法態様のうちの第４態様の第２ネットワーク側機器の作動を実現する機能を有する。前記機能は、ハードウェアによって実現されてもよいし、ハードウェアが対応するソフトウェアを実行することにより実現されてもよい。前記ハードウェア又はソフトウェアは、上記機能に応じる１つ又は複数のモジュールを備える。
【００４４】
１つの可能な態様では、ネットワーク側機器は、プロセッサを備え、前記プロセッサは、ネットワーク側機器による上記方法における対応する機能の実行をサポートするように配置される。さらに、ネットワーク側機器はさらに送受信器を備えてもよく、前記送受信器は、ネットワーク側機器と端末との間の通信をサポートする。さらに、ネットワーク側機器はさらにメモリを備えてもよく、前記メモリは、プロセッサに結合されて、ネットワーク側機器に必要なプログラム命令及びデータを格納している。
【００４５】
第１２態様によれば、本発明の実施例は、ネットワーク側機器を提供し、該ネットワーク側機器は、上記方法態様のうちの第５態様の第３ネットワーク側機器の作動を実現する機能を有する。前記機能は、ハードウェアによって実現されてもよいし、ハードウェアが対応するソフトウェアを実行することにより実現されてもよい。前記ハードウェア又はソフトウェアは、上記機能に応じる１つ又は複数のモジュールを備える。
【００４６】
１つの可能な態様では、ネットワーク側機器は、プロセッサを備え、前記プロセッサは、ネットワーク側機器による上記方法における対応する機能の実行をサポートするように配置される。さらに、ネットワーク側機器はさらに送受信器を備えてもよく、前記送受信器は、ネットワーク側機器と端末との間の通信をサポートする。さらに、ネットワーク側機器はさらにメモリを備えてもよく、前記メモリは、プロセッサに結合されて、ネットワーク側機器に必要なプログラム命令及びデータを格納している。
【００４７】
第１３態様によれば、本発明の実施例は、ネットワーク側機器を提供し、該ネットワーク側機器は、上記方法態様のうちの第６態様の第１ネットワーク側機器の作動を実現する機能を有する。前記機能は、ハードウェアによって実現されてもよいし、ハードウェアが対応するソフトウェアを実行することにより実現されてもよい。前記ハードウェア又はソフトウェアは、上記機能に応じる１つ又は複数のモジュールを備える。
【００４８】
１つの可能な態様では、ネットワーク側機器は、プロセッサを備え、前記プロセッサは、ネットワーク側機器による上記方法における対応する機能の実行をサポートするように配置される。さらに、ネットワーク側機器はさらに送受信器を備えてもよく、前記送受信器は、ネットワーク側機器と端末との間の通信をサポートする。さらに、ネットワーク側機器はさらにメモリを備えてもよく、前記メモリは、プロセッサに結合されて、ネットワーク側機器に必要なプログラム命令及びデータを格納している。
【００４９】
第１４態様によれば、本発明の実施例は、ネットワーク側機器を提供し、該ネットワーク側機器は、上記方法態様のうちの第７態様の第２ネットワーク側機器の作動を実現する機能を有する。前記機能は、ハードウェアによって実現されてもよいし、ハードウェアが対応するソフトウェアを実行することにより実現されてもよい。前記ハードウェア又はソフトウェアは、上記機能に応じる１つ又は複数のモジュールを備える。
【００５０】
１つの可能な態様では、ネットワーク側機器は、プロセッサを備え、前記プロセッサは、ネットワーク側機器による上記方法における対応する機能の実行をサポートするように配置される。さらに、ネットワーク側機器はさらに送受信器を備えてもよく、前記送受信器は、ネットワーク側機器と端末との間の通信をサポートする。さらに、ネットワーク側機器はさらにメモリを備えてもよく、前記メモリは、プロセッサに結合されて、ネットワーク側機器に必要なプログラム命令及びデータを格納している。
【００５１】
第１５態様によれば、本発明の実施例は、通信システムを提供し、該システムは、上記態様に記載の端末及びネットワーク側機器を備える。
【００５２】
第１６態様によれば、本発明の実施例は、コンピュータ可読記憶媒体を提供し、前記コンピュータ可読記憶媒体には、命令が記憶されており、この命令がコンピュータにおいて実行されると、コンピュータに上記第１態様、第２態様、第３態様、第４態様、第５態様又は第６態様に記載の方法を実行させる。
【００５３】
第１７態様によれば、本発明の実施例は、命令を含むコンピュータプログラム製品を提供し、この製品がコンピュータにおいて実行されると、コンピュータに上記第１態様、第２態様、第３態様、第４態様、第５態様、第６態様又は第７態様に記載の方法を実行させる。
【発明の効果】
【００５４】
以上により分かるように、本発明の実施例の第１態様及び第２態様では、第１ネットワーク側機器は第２ネットワーク側機器に第１ハンドオーバー要求を送信し、該第１ハンドオーバー要求は端末の第１端末情報を含み、該第１端末情報は第２ネットワーク側機器が第１端末情報がハンドオーバー操作を開始するプリセット条件を満たすと決定すると、第２ネットワークへハンドオーバーするハンドオーバー準備リソースを端末に設定することに用いられる。以上により分かるように、第１ネットワーク側機器が第２ネットワーク側機器に端末の第１端末情報を伝送した後、第２ネットワーク側機器は、該第１端末情報に基づいてハンドオーバー操作を開始できるか否かを決定し、条件を満たすと決定する場合にのみ、ハンドオーバー準備リソースを設定し、それによって、第２ネットワーク側機器が盲目的にハンドオーバー準備リソースを設定することによる候補ネットワークのリソースの無駄を防止し、候補ネットワークのリソース使用効率向上に寄与する。
【００５５】
本発明の実施例の第３態様では、第２ネットワーク側機器は、端末の第２端末情報に基づいて第２ネットワークのハンドオーバー準備リソースを解放することができ、それによって、端末が第２ネットワークにハンドオーバーしない場合にも第２ネットワークのハンドオーバー準備リソースが持続的に占用されることを避け、第２ネットワークのリソース利用効率向上に寄与する。
【００５６】
本発明の実施例の第４態様では、第２ネットワーク側機器は、端末の第２端末情報に基づいて、第２ネットワークのハンドオーバー準備リソースを解放するように第１ネットワーク側機器に通知することができ、それによって、端末が第２ネットワークにハンドオーバーしない場合にも第２ネットワークのハンドオーバー準備リソースが持続的に占用されることを避け、第２ネットワークのリソース利用効率向上に寄与する。
【００５７】
本発明の実施例の第５態様では、第３ネットワーク側機器は、端末の第３端末情報に基づいて、第１ネットワーク側機器にハンドオーバー準備拒否メッセージを送信し、端末に第３ネットワークのハンドオーバー準備リソースを設定しなく、第３ネットワークにハンドオーバーするためのハンドオーバー計測設定を解放するように第１ネットワーク側機器に指示することができ、それによって、第１ネットワーク及び第３ネットワークのリソース利用効率向上に寄与する。
【００５８】
本発明の実施例の第６態様及び第７態様では、第１ネットワーク側機器は、まず、アクセス関連情報を受信し、次に、アクセス関連情報に基づいて、第２ネットワークを候補ネットワークとして決定し、ハンドオーバー要求を第２ネットワーク側機器に送信し、ハンドオーバー要求は、第２ネットワークにハンドオーバーするためのハンドオーバー準備リソースを端末に設定するように第２ネットワーク側機器に指示することに用いられる。以上から分かるように、第１ネットワーク側機器は、アクセス関連情報に基づいて、複数のネットワークの中から端末ハンドオーバーに使用されうる候補ネットワークを特定し、さらに、端末にハンドオーバー準備リソースを設定するように、要求によって該候補ネットワークのネットワーク側機器に指示することができ、それによって、すべての候補ネットワークのネットワーク側機器が端末にハンドオーバー準備リソースを設定することによる候補ネットワークのリソースの無駄を避け、つまり、必要に応じて設定することになり、ハンドオーバー要求を受信していない後のネットワークのネットワーク側機器が端末にハンドオーバー準備リソースを設定する必要がなく、それによって、候補ネットワークのリソース利用効率向上に寄与する。
【図面の簡単な説明】
【００５９】
以下、実施例又は従来技術の説明に必要な図面について、簡単に説明する。
【００６０】
【図１】本発明の実施例によるモバイル通信システムのネットワークアーキテクチャ模式図である。
【図２】本発明の実施例によるハンドオーバー制御方法のプロー模式図である。
【図３】本発明の実施例による他のハンドオーバー制御方法のプロー模式図である。
【図４】本発明の実施例による他のハンドオーバー制御方法のプロー模式図である。
【図５】本発明の実施例による他のハンドオーバー制御方法のプロー模式図である。
【図６】本発明の実施例による他のハンドオーバー制御方法のプロー模式図である。
【図７Ａ】本発明の実施例によるネットワーク側機器の構造模式図である。
【図７Ｂ】本発明の実施例による他のネットワーク側機器の構造模式図である。
【図８Ａ】本発明の実施例によるネットワーク側機器の構造模式図である。
【図８Ｂ】本発明の実施例による他のネットワーク側機器の構造模式図である。
【図９Ａ】本発明の実施例によるネットワーク側機器の構造模式図である。
【図９Ｂ】本発明の実施例による他のネットワーク側機器の構造模式図である。
【発明を実施するための形態】
【００６１】
以下、図面を参照しながら、本発明の実施例における技術案を説明する。
【００６２】
図１に示すように、図１は、本発明の実施例による可能なネットワークアーキテクチャである。該ネットワークアーキテクチャは、ネットワーク側機器及び端末を備え、ネットワーク側機器は、第１ネットワークの第１ネットワーク側機器、第２ネットワークの第２ネットワーク側機器、及び第３ネットワークの第３ネットワーク側機器を備え、端末がスネットワーク側機器によるモバイル通信ネットワークにアクセするとき、端末とネットワーク側機器は、無線リンクを介して通信可能に接続できる。該ネットワーク側機器は、たとえば、５Ｇネットワーク、４Ｇネットワーク及びほかの規格のネットワークにおけるアクセスネットワーク機器（たとえば、基地局、無線アクセスネットワーク（Ｒａｄｉｏ  Ａｃｃｅｓｓ  Ｎｅｔｗｏｒｋ、ＲＡＮ）ネットワークノード、ＲＡＮ転送ポイントなど）であってもよい。本発明の実施例では、用語「ネットワーク」及び「システム」はしばしば交換して使用されており、当業者であれば、その意味を理解できる。本発明の実施例に係る端末は、無線通信機能を有する様々なハンドヘルド機器、車載機器、ウェアラブル機器、コンピューティング機器又は無線モデムに接続されたほかの処理機器、及び各種形態のユーザ機器（Ｕｓｅｒ  Ｅｑｕｉｐｍｅｎｔ、ＵＥ）、移動局（Ｍｏｂｉｌｅ  Ｓｔａｔｉｏｎ、ＭＳ）、端末機器（ｔｅｒｍｉｎａｌ  ｄｅｖｉｃｅ）などを含む。説明の便宜上、上記機器は、端末と総称される。
【００６３】
図２に示すように、図２は、本発明の実施例によるハンドオーバー制御方法であり、第１ネットワーク側機器、第２ネットワーク側機器、第３ネットワーク側機器及び端末を備えるモバイル通信ネットワークに適用され、前記第１ネットワーク側機器、前記第２ネットワーク側機器、前記第３ネットワーク側機器及び前記端末は、互いに通信可能に接続され、該方法は、ステップ２０１とステップ２０２を含み、具体的には、
ステップ２０１では、第１ネットワーク側機器は第２ネットワーク側機器に第１ハンドオーバー要求を送信し、前記第１ネットワーク側機器は第１ネットワークに適用され、前記第２ネットワーク側機器は第２ネットワークに適用され、端末は前記第１ネットワークにアタッチし、前記第１ハンドオーバー要求は前記端末の第１端末情報を含む。
【００６４】
前記第１端末情報は、以下の少なくとも１種を含む。
１）端末のレベル
２）端末の優先度
３）端末の業務レベル
４）端末の業務のサービス品質（Ｑｕａｌｉｔｙ  ｏｆ  Ｓｅｒｖｉｃｅ、ＱｏＳ）レベル、たとえば、遅延情報、伝送信頼性情報など
５）端末のタイプ、たとえば、マシン型通信（Ｍａｃｈｉｎｅ  ｔｙｐｅ  ｃｏｍｍｕｎｉｃａｔｉｏｎ、ＭＴＣ）端末、超信頼性・低遅延通信（ｕＲＬＬＣ、Ｕｌｔｒａ  Ｒｅｌｉａｂｌｅ  ＆  Ｌｏｗ  Ｌａｔｅｎｃｙ  Ｃｏｍｍｕｎｉｃａｔｉｏｎ）端末など、低コスト端末など
６）端末に登録されるコアネットワークのコアネットワーク識別子。
【００６５】
前記端末は、最初に、前記第１ネットワーク側機器の第１ネットワークにアタッチし、第１ネットワークのネットワーク規格は、たとえば、５Ｇネットワーク又は４Ｇネットワーク又はほかのネットワークであってもよく、本発明の実施例では、特に限定しない。
【００６６】
ステップ２０２では、前記第２ネットワーク側機器は、前記第１ハンドオーバー要求を受信して、前記第１端末情報を取得し、前記第１端末情報がハンドオーバー操作を開始するプリセット条件を満たすと決定すると、前記第２ネットワークのハンドオーバー準備リソースを前記端末に設定する。
【００６７】
前記第２ネットワーク側機器が第１端末情報を取得する方式は、ステップ２０２であってもよく、第２ネットワーク側機器がほかのネットワークのアクセスネットワーク機器又はコアネットワーク機器又はほかのストレージエンティティから前記端末の第１端末情報を取得してもよい。
【００６８】
一つの可能な例では、前記第２ネットワーク側機器が前記第１端末情報がハンドオーバー操作を開始するプリセット条件を満たすと決定する方式は、具体的には、以下のとおりである。
第１端末情報が端末のレベルである場合、前記第２ネットワーク側機器が前記第１端末情報がハンドオーバー操作を開始するプリセット条件を満たすと決定する方式は、具体的には、前記第２ネットワーク側機器は、前記端末のレベルがプリセットレベルであると検出すると、前記第１端末情報がハンドオーバー操作を開始するプリセット条件を満たすと決定する。
【００６９】
前記プリセットレベルは、予め設定してもよく、端末のレベルは、たとえば、０−１５のうちのいずれか１種又は複数種である。
【００７０】
第１端末情報が端末の優先度である場合、前記第２ネットワーク側機器が前記第１端末情報がハンドオーバー操作を開始するプリセット条件を満たすと決定するための方式は、具体的には、前記第２ネットワーク側機器は、前記端末の優先度がプリセット優先度であると検出すると、前記第１端末情報がハンドオーバー操作を開始するプリセット条件を満たすと決定する。
【００７１】
前記プリセット優先度は、予め設定してもよく、具体的な値については限定しない。
【００７２】
第１端末情報が端末の業務レベルである場合、前記第２ネットワーク側機器が前記第１端末情報がハンドオーバー操作を開始するプリセット条件を満たすと決定する方式は、具体的には、前記第２ネットワーク側機器は、前記端末の業務レベルがプリセット業務レベルであると検出すると、前記第１端末情報がハンドオーバー操作を開始するプリセット条件を満たすと決定する。
【００７３】
前記プリセット業務レベルは、たとえば、高業務レベル、中業務レベル、低業務レベルなどである。
【００７４】
第１端末情報が端末の業務のＱｏＳレベルである場合、前記第２ネットワーク側機器が前記第１端末情報がハンドオーバー操作を開始するプリセット条件を満たすと決定する方式は、具体的には、前記第２ネットワーク側機器は、前記端末の業務のＱｏＳレベルがプリセットＱｏＳレベルであると検出すると、前記第１端末情報がハンドオーバー操作を開始するプリセット条件を満たすと決定する。
【００７５】
前記プリセットＱｏＳレベルは、予め設定してもよく、具体的な値については限定しない。
【００７６】
第１端末情報が端末タイプである場合、前記第２ネットワーク側機器が前記第１端末情報がハンドオーバー操作を開始するプリセット条件を満たすと決定する方式は、具体的には、前記第２ネットワーク側機器は、前記端末の端末タイプがプリセット端末タイプであると検出すると、前記第１端末情報がハンドオーバー操作を開始するプリセット条件を満たすと決定する。
【００７７】
前記プリセット端末タイプは、たとえば、低コストタイプの端末、車のネットワークタイプの端末、ＭＴＣタイプの端末などであってもよい。
【００７８】
第１端末情報が端末に登録されるコアネットワークのコアネットワーク識別子である場合、前記第２ネットワーク側機器が前記第１端末情報がハンドオーバー操作を開始するプリセット条件を満たすと決定する方式は、具体的には、前記第２ネットワーク側機器は、前記コアネットワーク識別子がプリセットのコアネットワーク識別子であると検出すると、前記第１端末情報がハンドオーバー操作を開始するプリセット条件を満たすと決定する。
【００７９】
前記プリセットコアネットワーク識別子は、予め設定してもよく、具体的な値については限定しな。
【００８０】
一つの可能な例では、前記ハンドオーバー準備リソースは、コンテスト、無線リソース制御（Ｒａｄｉｏ  Ｒｅｓｏｕｒｃｅ  Ｃｏｎｔｒｏｌ、ＲＲＣ）設定、ランダムアクセスリソース、及び、候補ネットワークの間に端末のために確立したハンドオーバーリンクを含み得る。
【００８１】
以上により分かるように、本発明の実施例では、第１ネットワーク側機器は第２ネットワーク側機器に第１ハンドオーバー要求を送信し、該第１ハンドオーバー要求は端末の第１端末情報を含み、該第１端末情報は第２ネットワーク側機器が第１端末情報がハンドオーバー操作を開始するプリセット条件を満たすと決定すると、第２ネットワークへハンドオーバーするハンドオーバー準備リソースを端末に設定することに用いられる。以上により分かるように、第１ネットワーク側機器が第２ネットワーク側機器に端末の第１端末情報を伝送した後、第２ネットワーク側機器は、該第１端末情報に基づいてハンドオーバー操作を開始できるか否かを決定し、条件を満たすと決定する場合にのみ、ハンドオーバー準備リソースを設定し、それによって、第２ネットワーク側機器が盲目的にハンドオーバー準備リソースを設定することによる候補ネットワークのリソースの無駄を防止し、候補ネットワークのリソース使用効率向上に寄与する。
【００８２】
一つの可能な例では、前記第２ネットワーク側機器は、前記第２ネットワーク側機器にハンドオーバーするための第２ネットワークのハンドオーバー準備リソースを前記端末に設定した後、前記方法はさらに、
前記第２ネットワーク側機器は、前記第１ネットワーク側機器に、ハンドオーバー準備確認メッセージを送信するステップと、
前記第１ネットワーク側機器は、前記ハンドオーバー準備確認メッセージを受信して、前記端末に前記第２ネットワークのハンドオーバー計測設定を送信するステップとを含む。
【００８３】
前記ハンドオーバー計測設定は、前記ネットワーク識別子及び前記ハンドオーバー準備リソースの記述情報を含む。
【００８４】
前記端末は、前記ハンドオーバー計測設定を受信して、前記第２ネットワークのネットワークチャンネル条件を計測して第１計測結果を取得して、前記第１計測結果が第１計測イベントを満たすと検出すると、前記第２ネットワーク側機器にハンドオーバー確認メッセージを送信し、
前記第２ネットワーク側機器は、前記ハンドオーバー確認メッセージに応答して、前記ハンドオーバー準備リソースに基づいて前記端末のハンドオーバー操作を完了させる。
【００８５】
一つの可能な例では、前記第２ネットワーク側機器は、前記ハンドオーバー確認メッセージに応答して、前記ハンドオーバー準備リソースに基づいて前記端末のハンドオーバー操作を完了させた後、前記方法はさらに、
前記第２ネットワーク側機器は、前記端末の第２端末情報を取得して、前記第２端末情報がハンドオーバー準備リソースを解放するプリセット条件を満たすと決定すると、前記第２ネットワークのハンドオーバー準備リソースを解放するステップを含む。
【００８６】
一つの可能な例では、前記第２ネットワーク側機器は、前記ハンドオーバー確認メッセージに応答して、前記ハンドオーバー準備リソースに基づいて前記端末のハンドオーバー操作を完了させた後、前記方法はさらに、
前記第２ネットワーク側機器は、前記端末の第２端末情報を取得して、前記第２端末情報がハンドオーバー準備リソースを解放するプリセット条件を満たすと決定すると、前記第１ネットワーク側機器にリソース解放メッセージを送信するステップと、
前記第１ネットワーク側機器は、前記リソース解放メッセージを受信して、前記第２ネットワークのハンドオーバー準備リソースを解放するステップとを含む。
【００８７】
前記リソース解放メッセージには、ハンドオーバー準備リソースを解放する原因が含まれる。
【００８８】
以上により分かるように、本例では、第１ネットワーク側機器は、前記第２ネットワーク側機器から送信したリソース解放メッセージを受信し、前記第２ネットワークのハンドオーバー準備リソースを解放することができ、それによって、不要なリソースオーバーヘッドを避け、第１ネットワークのリソース利用率向上に寄与する。
【００８９】
一つの可能な例では、前記第１ネットワーク側機器は、前記第２ネットワーク側機器に第１ハンドオーバー要求を送信する前、前記方法はさらに、
前記端末は、プリセット計測設定に従って、少なくとも１つのネットワークのうちの各ネットワークのチャンネル条件を計測して第２計測結果を取得して、前記第２計測結果が第２計測イベントを満たすと検出すると、前記第２計測結果を第１ネットワーク側機器に報告する。
【００９０】
前記プリセット計測設定は、ネットワークをハンドオーバーするための計測設定であり、計測対象、計測報告ルール、計測量及び報告量などを含む。
【００９１】
前記第２計測イベントは、前記第１ネットワーク側機器が予め前記端末に設定されてもよい。
【００９２】
前記第１ネットワーク側機器は、前記第２計測結果に基づいて前記少なくとも１つのネットワークのうちの少なくとも１つの候補ネットワークを決定し、前記少なくとも１つの候補ネットワークには、前記第２ネットワーク側機器の第２ネットワーク及び第３ネットワーク側機器の第３ネットワークが含まれる。
【００９３】
本可能な例では、前記方法はさらに、
前記第１ネットワーク側機器は、前記第３ネットワーク側機器に、前記端末の第３端末情報を含む第２ハンドオーバー要求を送信するステップと、
前記第３ネットワーク側機器は、前記第２ハンドオーバー要求を受信して、前記第３端末情報を取得し、前記第３端末情報がハンドオーバー操作を開始するプリセット条件を満たさないと決定すると、前記第１ネットワーク側機器にハンドオーバー準備拒否メッセージを送信するステップとを含む。
【００９４】
前記ハンドオーバー準備拒否メッセージには、ハンドオーバーを拒否する原因が含まれる。
【００９５】
前記第１ネットワーク側機器は、前記ハンドオーバー準備拒否メッセージを受信して、前記第３ネットワークのハンドオーバー準備リソースを解放する。
【００９６】
以上により分かるように、本例では、第１ネットワーク側機器は、第３ネットワーク側機器に前記端末の第３端末情報を含む第２ハンドオーバー要求を送信し、第３ネットワーク側機器は、前記第３端末情報がハンドオーバー操作を開始するプリセット条件を満たさないと決定すると、前記第１ネットワーク側機器にハンドオーバー準備拒否メッセージを送信し、第３ネットワークのハンドオーバー準備リソースを解放するように第１ネットワーク側機器に指示し、それによって、端末が第３ネットワークにハンドオーバーしない場合にも第３ネットワークのハンドオーバー準備リソースが占用されることを避け、第３ネットワークのリソース利用効率向上に寄与する。
【００９７】
図３に示すように、図３は、本発明の実施例によるハンドオーバー制御方法であり、第１ネットワーク側機器、第２ネットワーク側機器、第３ネットワーク側機器及び端末を備えるモバイル通信ネットワークに適用され、前記第１ネットワーク側機器、前記第２ネットワーク側機器、前記第３ネットワーク側機器及び前記端末は、互いに通信可能に接続され、該方法は、ステップ３０１とステップ３０２を含み、具体的には、
ステップ３０１では、第２ネットワーク側機器は、端末の第２端末情報を取得する。
【００９８】
ステップ３０２では、前記第２ネットワークに適用される前記第２ネットワーク側機器は、前記第２端末情報がハンドオーバー準備リソースを解放するプリセット条件を満たすと決定すると、第２ネットワークのハンドオーバー準備リソースを解放する。
【００９９】
以上により分かるように、本発明の実施例では、第２ネットワーク側機器は、端末の第２端末情報に基づいて第２ネットワークのハンドオーバー準備リソースを解放することができ、それによって、端末が第２ネットワークにハンドオーバーしない場合にも第２ネットワークのハンドオーバー準備リソースが持続的に占用されることを避け、第２ネットワークのリソース利用効率向上に寄与する。
【０１００】
図４に示すように、図４は、本発明の実施例によるハンドオーバー制御方法であり、第１ネットワーク側機器、第２ネットワーク側機器、第３ネットワーク側機器及び端末を備えるモバイル通信ネットワークに適用され、前記第１ネットワーク側機器、前記第２ネットワーク側機器、前記第３ネットワーク側機器及び前記端末は、互いに通信可能に接続され、該方法は、ステップ４０１とステップ４０２を含み、具体的には、
ステップ４０１では、第２ネットワーク側機器は、端末の第２端末情報を取得する。
【０１０１】
ステップ４０２では、前記第２ネットワーク側機器は、前記第２端末情報がハンドオーバー準備リソースを解放するプリセット条件を満たすと決定すると、前記第２ネットワークのハンドオーバー準備リソースを解放するように前記第１ネットワーク側機器に指示するためのリソース解放メッセージを、前記第１ネットワーク側機器に送信する。
【０１０２】
以上により分かるように、本発明の実施例では、第２ネットワーク側機器は、端末の第２端末情報に基づいて、第２ネットワークのハンドオーバー準備リソースをリアルタイムで解放するように第１ネットワーク側機器に通知することができ、それによって、端末が第２ネットワークにハンドオーバーしない場合にも第２ネットワークのハンドオーバー準備リソースが持続的に占用されることを避け、第２ネットワークのリソース利用効率向上に寄与する。
【０１０３】
図５に示すように、図５は、本発明の実施例によるハンドオーバー制御方法であり、第１ネットワーク側機器、第２ネットワーク側機器、第３ネットワーク側機器及び端末を備えるモバイル通信ネットワークに適用され、前記第１ネットワーク側機器、前記第２ネットワーク側機器、前記第３ネットワーク側機器及び前記端末は、互いに通信可能に接続され、該方法は、ステップ５０１とステップ５０２を含み、具体的には、
ステップ５０１では、第３ネットワークに適用される第３ネットワーク側機器は、第１ネットワーク側機器から送信した、端末の第３端末情報を含む第２ハンドオーバー要求を受信する。
【０１０４】
ステップ５０２では、前記第３ネットワーク側機器は、前記第３端末情報がハンドオーバー操作を開始するプリセット条件を満たさないと決定すると、前記第３ネットワークのハンドオーバー準備リソースを解放するように前記第１ネットワーク側機器に指示するためのハンドオーバー準備拒否メッセージを、前記第１ネットワーク側機器に送信する。
【０１０５】
以上により分かるように、本発明の実施例では、第３ネットワーク側機器は、端末の第３端末情報に基づいて第１ネットワーク側機器にハンドオーバー準備拒否メッセージを送信し、端末に第３ネットワークのハンドオーバー準備リソースを設定しなく、第３ネットワークにハンドオーバーするためのハンドオーバー計測設定を解放するように第１ネットワーク側機器に指示することができ、それによって、第１ネットワーク及び第３ネットワークのリソース利用効率向上に寄与する。
【０１０６】
図６に示すように、図６は、本発明の実施例によるハンドオーバー制御方法であり、第１ネットワーク側機器、第２ネットワーク側機器及び端末を備えるモバイル通信ネットワークに適用され、前記第１ネットワーク側機器、第２ネットワーク側機器、前記端末は、互いに通信可能に接続され、該方法は、ステップ６０１〜ステップ６０３を備え、具体的には、
ステップ６０１では、第２ネットワーク側機器は、第１ネットワーク側機器にアクセス関連情報を送信する。
【０１０７】
前記アクセス関連情報は、前記第２ネットワーク側機器の第２ネットワークのネットワーク状態情報及び／又は端末による前記第２ネットワークに対するアクセス制御情報である。
【０１０８】
前記第２ネットワークのネットワーク状態情報には、以下の少なくとも１種が含まれる。
１）ネットワーク輻輳程度、たとえば、高程度、中程度、低程度、輻輳無しなど。
２）コントロールプレーンの輻輳程度又はユーザープレーンの輻輳程度。
３）アクセスの許可可否の記述情報、たとえば、アクセス許可又はアクセス禁止。
前記アクセス制御情報は、以下のアクセス制御情報のうちのいずれか１種である。
１）端末のアクセスレベル又は優先度に対するアクセス制御情報。
２）端末の業務情報に対するアクセス制御情報。前記業務情報には、以下の少なくとも１種を含む。
端末が業務を開始するアプリケーションレベル、端末が業務を開始するコール原因、端末がアクセスを開始する確立原因、端末が業務を開始するＱｏＳ属性など。
３）端末タイプに対するアクセス制御情報、たとえば、低コスト端末、ＭＴＣ端末、ＵＲＬＬＣ端末など。
４）各コアネットワークに対するアクセス制御情報。
前記アクセス制御情報は、以下の少なくとも１種を含む。
ハンドオーバーアクセスの許可可否、ハンドオーバーアクセスを許可する確率。
【０１０９】
６０２、前記第１ネットワーク側機器は、前記アクセス関連情報に基づいて、第２ネットワークを候補ネットワークとして決定し、前記第２ネットワーク側機器にハンドオーバー要求を送信する。
【０１１０】
６０３、前記第２ネットワーク側機器は、前記ハンドオーバー要求を受信して、前記第２ネットワークのハンドオーバー準備リソースを前記端末に設定する。
【０１１１】
一つの可能な例では、前記ハンドオーバー準備リソースは、コンテキスト、ＲＲＣ設定、ランダムアクセスリソース、及び、候補ネットワークの間に端末のために確立したハンドオーバーリンクを含み得る。
【０１１２】
以上により分かるように、本発明の実施例では、第１ネットワーク側機器は、まず、アクセス関連情報を受信し、次に、アクセス関連情報に基づいて、第２ネットワークを候補ネットワークとして決定し、ハンドオーバー要求を第２ネットワーク側機器に送信し、ハンドオーバー要求は、第２ネットワークにハンドオーバーするためのハンドオーバー準備リソースを端末に設定するように第２ネットワーク側機器に指示することに用いられる。以上により分かるように、第１ネットワーク側機器は、アクセス関連情報に基づいて、複数のネットワークの中から端末ハンドオーバーに使用されうる候補ネットワークを特定し、さらに、端末にハンドオーバー準備リソースを設定するように要求によって該候補ネットワークのネットワーク側機器に指示することができ、それによって、すべての候補ネットワークのネットワーク側機器が端末にハンドオーバー準備リソースを設定することによる候補ネットワークのリソースの無駄を避け、つまり、必要に応じて設定することになり、ハンドオーバー要求を受信していない後のネットワークのネットワーク側機器が端末に対してハンドオーバー準備リソースを設定する必要がなく、それによって、候補ネットワークのリソース利用効率向上に寄与する。
【０１１３】
一つの可能な例では、前記第１ネットワーク側機器は、前記アクセス関連情報に基づいて、前記第２ネットワークを候補ネットワークとして決定する前、前記方法はさらに、
前記端末は、プリセット計測設定に従って、前記第２ネットワークのチャンネル条件を計測して第１計測結果を取得し、前記第１計測結果が第１計測イベントを満たすと検出すると、前記第１計測結果を第１ネットワーク側機器に報告する。
【０１１４】
前記プリセット計測設定は、前記第１ネットワーク側機器から送信したネットワークハンドオーバーに用いる計測設定であり、該計測設定には、計測対象、計測報告ルール、計測量及び報告量などが含まれる。
【０１１５】
前記第１計測イベントは、計測データの第１計測結果が第１プリセット閾値以上であってもよく、前記計測データは、たとえば、基準信号受信電力ＲＳＲＰ、受信信号強度インデックスＲＳＳＩ、基準信号受信品質ＲＳＲＱ、及び前記隣接セルのサービス品質がサービスセルのサービス品質より高いオフセットＡ３  Ｏｆｆｓｅｔなどであってもよい。前記第１計測結果は、具体的には、第２ネットワークの第２計測データから第１ネットワークの第１計測データを減算した差値であってもよい。
【０１１６】
前記第１ネットワーク側機器は、前記アクセス関連情報に基づいて、第２ネットワークを候補ネットワークとして決定する実現方式は、具体的には、以下のとおりである。
前記第１ネットワーク側機器は、前記第１計測結果及び前記アクセス関連情報に基づいて、第２ネットワークを候補ネットワークとして決定する。
【０１１７】
以上により分かるように、本例では、第１ネットワーク側機器は、ネットワーク状態情報及び検出結果の２つの点から対象ネットワークが候補ネットワークとして好適であるか否かを決定し、候補ネットワークを選別するための制限条件が増えるため、最終的に決定された候補ネットワークの数が比較的に減少し、全体的にはネットワークのリソースの消費量を低下させて、ネットワークのリソース利用効率を高める。
【０１１８】
一つの可能な例では、前記第１ネットワーク側機器は、前記第２ネットワーク側機器にハンドオーバー要求を送信した後、前記方法はさらに、
前記第２ネットワーク側機器は、前記第１ネットワーク側機器に、ハンドオーバー準備確認メッセージを送信するステップと、
前記第１ネットワーク側機器は、前記ハンドオーバー準備確認メッセージを受信して、前記端末に前記第２ネットワークのハンドオーバー計測設定を送信するステップとを含む。
【０１１９】
前記ハンドオーバー計測設定は、前記ネットワーク識別子及び前記ハンドオーバー準備リソースの記述情報を含む。
【０１２０】
前記端末は、前記設定情報を受信して、前記第２ネットワークのネットワークチャンネル条件を計測して第２計測結果を取得して、前記第２計測結果が第２計測イベントを満たすと検出すると、前記第２ネットワーク側機器にハンドオーバー確認メッセージを送信する。
【０１２１】
前記第２計測イベントは、前記第１ネットワーク側機器が予め前記端末に設定されてもよい。
【０１２２】
前記第２ネットワーク側機器は、前記ハンドオーバー確認メッセージに応答して、前記ハンドオーバー準備リソースに基づいて前記端末のハンドオーバー操作を完了させる。
【０１２３】
一つの可能な例では、前記アクセス関連情報は、前記第２ネットワークのネットワーク状態情報であり、前記第１ネットワーク側機器は、前記アクセス関連情報に基づいて、第２ネットワークを候補ネットワークとして決定する実現方式は、具体的には、
前記第１ネットワーク側機器は、前記第２ネットワークのネットワーク状態情報が第１プリセットアクセス条件を満たすと検出すると、前記第２ネットワークを候補ネットワークとして決定してもよい。
【０１２４】
本可能な例では、前記第１ネットワーク側機器が前記第２ネットワークのネットワーク状態情報が第１プリセットアクセス条件を満たすと検出する実現方式は、以下のとおりである。
前記ネットワーク状態情報がネットワーク輻輳程度である場合、前記第１プリセット条件は、前記第２ネットワークのネットワーク輻輳程度がプリセット輻輳程度未満である。
【０１２５】
前記ネットワーク状態情報がコントロールプレーンの輻輳程度である場合、前記第１プリセット条件は、前記コントロールプレーンのネットワーク輻輳程度がプリセット輻輳程度未満である。
【０１２６】
前記ネットワーク状態情報がユーザープレーンの輻輳程度である場合、前記第１プリセット条件は、前記ユーザープレーンのネットワーク輻輳程度がプリセット輻輳程度未満である。
【０１２７】
前記ネットワーク状態情報がアクセスの許可可否の記述情報である場合、前記第１プリセット条件は、前記アクセスの許可可否の記述情報がアクセス許可である。
【０１２８】
一つの可能な例では、前記アクセス関連情報は、前記端末による前記第２ネットワークに対するアクセス制御情報であり、前記第１ネットワーク側機器は、前記アクセス関連情報に基づいて、前記第２ネットワークを候補ネットワークとして決定するステップは、
前記第１ネットワーク側機器は、前記第２ネットワークのアクセス制御情報が第２プリセットアクセス条件を満たすと検出すると、前記第２ネットワークを候補ネットワークとして決定するステップを含む。
【０１２９】
本可能な例では、前記第１ネットワーク側機器が前記第２ネットワークのアクセス制御情報が第２プリセットアクセス条件を満たすと検出する実現方式は、以下のとおりである。
前記アクセス制御情報がハンドオーバーアクセスの許可可否である場合、前記第２プリセットアクセス条件は、前記アクセス制御情報がアクセス許可である。
【０１３０】
前記アクセス制御情報がハンドオーバーアクセスを許可する確率である場合、前記第２プリセットアクセス条件は、前記ハンドオーバーアクセスを許可する確率がハンドオーバーアクセスを許可するプリセット確率より高い。
【０１３１】
以上は主に、各ネットワーク要素間のインタラクションの点で本発明の実施例の技術案について説明した。なお、ネットワーク側機器は、上記機能を実現するために、各機能を実行するための対応するハードウェア構造及び／又はソフトウェアモジュールを備える。当業者であれば、本明細に開示されている実施例において説明した各例のユニット及びアルゴリズムステップと組み合わせて、本発明は、ハードウェア、又はハードウェアとコンピュータソフトウェアを組み合わせた形態で実現できることを容易に想到しうる。ある機能がハードウェアにより実行されるか、それともコンピュータソフトウェアがハードウェアを駆動する形態により実行されるかは、技術案の特定の用途及び設計の制限条件により決まる。当業者であれば、特定用途ごとに異なる方法を用いて記載の機能を実現できるが、このような実現は本発明の範囲を超えると見なされるべきではない。
【０１３２】
本発明の実施例では、上記方法例に基づいてネットワーク側機器について機能ユニットの分割を行うことができ、たとえば、各機能に応じて各機能ユニットを分割してもよく、２つ又は２つ以上の機能を１つの処理ユニットに集積させてもよい。上記集積ユニットは、ハードウェアの形態で実現されてもよいし、ソフトウェア機能ユニットの形態で実現されてもよい。なお、本発明の実施例におけるユニットの分割は例示的なものに過ぎず、ロジック機能の分割だけであり、実際に実現させるときに、別の分割方式を取りうる。
【０１３３】
集積ユニットを用いる場合、図７Ａには、上記実施例に係るネットワーク側機器の構造模式図の一例が示されており、該ネットワーク側機器は、図１に示されるモバイル通信システムの第１ネットワーク側機器である。ネットワーク側機器７００は、処理ユニット７０２及び通信ユニット７０３を備える。処理ユニット７０２は、ネットワーク側機器の作動の制御管理を行い、たとえば、処理ユニット７０２は、ネットワーク側機器による図２中のステップ２０１、図６中のステップ６０２及び／又は本明細書に記載のほかの技術のほかの手順の実行をサポートする。通信ユニット７０３は、ネットワーク側機器とほかの機器との通信、たとえば、図１に示される第２ネットワーク側機器と、端末との通信をサポートする。ネットワーク側機器はさらに、ネットワーク側機器のプログラムコード及びデータを記憶するための記憶ユニット７０１をさらに備えてもよい。
【０１３４】
処理ユニット７０２は、プロセッサ又はコントローラ、たとえば、中央プロセッサ（Ｃｅｎｔｒａｌ  Ｐｒｏｃｅｓｓｉｎｇ  Ｕｎｉｔ、ＣＰＵ）、汎用プロセッサ、デジタルシグナルプロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又はほかのプログラマブルロジックデバイス、トランジスタロジックデバイス、ハードウェア部材又はこれらの任意の組み合わせであってもよい。それは、本発明の開示内容に基づいて説明される各例示的なロジックブロック、モジュール及び回路を実現又は実行できる。前記プロセッサは、コンピューティング機能を実現する組み合わせ、たとえば、１つ又は複数のマイクロプロセッサの組み合わせ、ＤＳＰとマイクロプロセッサとの組み合わせなどであってもよい。通信ユニット７０３は、送受信器、送受信回路などであってもよく、記憶ユニット７０１は、メモリであってもよい。
【０１３５】
前記処理ユニット７０２は、前記通信ユニットを介して前記第２ネットワーク側機器に第１ハンドオーバー要求を送信し、前記第１ネットワーク側機器は、第１ネットワークに適用され、前記第２ネットワーク側機器は、第２ネットワークに適用され、端末が前記第１ネットワークにアタッチし、前記第１ハンドオーバー要求は、前記端末の第１端末情報を含み、前記第１端末情報は、前記第２ネットワーク側機器が前記第１端末情報がハンドオーバー操作を開始するプリセット条件を満たすと決定すると、前記第２ネットワークのハンドオーバー準備リソースを前記端末に設定する。
【０１３６】
一つの可能な例では、前記処理ユニット７０２は、前記通信ユニット７０３を介して第２ネットワーク側機器に第１ハンドオーバー要求を送信した後、さらに、  前記通信ユニット７０３を介して前記第２ネットワーク側機器から送信したハンドオーバー準備確認メッセージを受信し、前記通信ユニット７０３を介して前記第２ネットワークのハンドオーバー計測設定を前記端末に送信し、前記ハンドオーバー計測設定は、前記端末が前記第２ネットワークのネットワークチャンネル条件を計測して第１計測結果を取得して、前記第１計測結果が第１計測イベントを満たすと検出すると、ハンドオーバー確認メッセージを前記第２ネットワーク側機器に送信し、前記ハンドオーバー確認メッセージは、前記ハンドオーバー準備リソースに基づいて前記端末のハンドオーバー操作を完了させるように前記第２ネットワーク側機器に指示することに用いられる。
【０１３７】
一つの可能な例では、前記処理ユニット７０２は、前記通信ユニット７０３を介して前記第２ネットワーク側機器から送信したハンドオーバー準備確認メッセージを受信した後、さらに、
前記通信ユニット７０３を介して前記第２ネットワーク側機器から送信したリソース解放メッセージを受信し、前記第２ネットワークのハンドオーバー準備リソースを解放し、前記リソース解放メッセージは、前記第２ネットワーク側機器が前記端末の第２端末情報を取得して、前記第２端末情報がハンドオーバー準備リソースを解放するプリセット条件を満たすと決定すると、前記第２ネットワークのハンドオーバー準備リソースを解放した後に送信されるものである。
【０１３８】
一つの可能な例では、前記処理ユニット７０２は、前記通信ユニット７０３を介して第２ネットワーク側機器に第１ハンドオーバー要求を送信する前、さらに、  前記通信ユニット７０３を介して前記端末から送信した第２計測結果を受信し、前記第２計測結果は前記端末がプリセット計測設定に従って少なくとも１つのネットワークを計測して得るものであって、しかも前記第２計測結果は第２計測イベントを満たし、また、前記処理ユニット７０２は、前記第２計測結果に基づいて、前記第２ネットワークを含む前記少なくとも１つのネットワークのうちの少なくとも１つの候補ネットワークを決定する。
【０１３９】
一つの可能な例では、前記処理ユニット７０２はさらに、前記通信ユニット７０３を介して、第３ネットワーク側機器に第２ハンドオーバー要求を送信し、前記第２ハンドオーバー要求は前記端末の第３端末情報を含み、前記第３ネットワーク側機器は前記第３ネットワークに適用され、前記第３端末情報は前記第３ネットワーク側機器が前記第３端末情報がハンドオーバー操作を開始するプリセット条件を満たさないと決定すると、前記第１ネットワーク側機器にハンドオーバー準備拒否メッセージを送信することに用いられ、また、前記処理ユニット７０２は前記通信ユニット７０３を介して前記ハンドオーバー準備拒否メッセージを受信し、前記第３ネットワークのハンドオーバー準備リソースを解放する。
【０１４０】
処理ユニット７０２がプロセッサであり、通信ユニット７０３が通信インターフェースであり、記憶ユニット７０１がメモリである場合、本発明の実施例に係るネットワーク側機器は、図７Ｂに示すネットワーク側機器であってもよい。
【０１４１】
図７Ｂに示すように、該ネットワーク側機器７１０は、プロセッサ７１２、送受信器７１３、メモリ７１１を備える。選択肢として、ネットワーク側機器７１０はさらにバス７１４を含んでもよい。送受信器７１３、プロセッサ７１２及びメモリ７１１は、バス７１４を介して相互接続されてもよく、バス７１４は、周辺機器相互接続スタンダード（Ｐｅｒｉｐｈｅｒａｌ  Ｃｏｍｐｏｎｅｎｔ  Ｉｎｔｅｒｃｏｎｎｅｃｔ、略語ＰＣＩ）バス又は拡張業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、略語ＥＩＳＡ）バスなどであってもよい。前記バス７１４は、アドレスバス、データバス、制御バスなどに分類されうる。表示の便宜上、図７Ｂには、１本の太線だけで示されるが、１本だけのバス又は１つのタイプのバスしかないと限らない。
【０１４２】
上記図７Ａ又は図７Ｂに示されるネットワーク側機器は、第１ネットワーク側機器用の装置と理解されてもよく、本発明の実施例では限定しない。
【０１４３】
集積ユニットを用いる場合、図８Ａには、上記実施例に係るネットワーク側機器の構造模式図の一例が示されており、該ネットワーク側機器は、図１に示されるモバイル通信システムの第２ネットワーク側機器である。ネットワーク側機器８００は、処理ユニット８０２及び通信ユニット８０３を備える。処理ユニット８０２は、ネットワーク側機器の動作に対する制御管理を行い、たとえば、処理ユニット８０２は、ネットワーク側機器による図２中のステップ２０２、図３中のステップ３０１、３０２、図４中の４０１、４０２、図６中の６０１、６０３及び／又は本明細書に記載の技術のほかの手順の実行をサポートする。通信ユニット８０３は、ネットワーク側機器とほかの機器との通信、たとえば、図１に示される第１ネットワーク側機器と、端末との通信をサポートする。ネットワーク側機器は、ネットワーク側機器のプログラムコード及びデータを記憶するための記憶ユニット８０１をさらに備えてもよい。
【０１４４】
処理ユニット８０２は、プロセッサ又はコントローラ、たとえば、中央プロセッサ（Ｃｅｎｔｒａｌ  Ｐｒｏｃｅｓｓｉｎｇ  Ｕｎｉｔ、ＣＰＵ）、汎用プロセッサ、デジタルシグナルプロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又はほかのプログラマブルロジックデバイス、トランジスタロジックデバイス、ハードウェア部材又はこれらの任意の組み合わせであってもよい。それは、本発明の開示内容に基づいて説明される各種例示的なロジックブロック、モジュール及び回路を実現又は実行できる。前記プロセッサは、コンピューティング機能を実現する組み合わせ、たとえば、１つ又は複数のマイクロプロセッサの組み合わせ、ＤＳＰとマイクロプロセッサとの組み合わせなどであってもよい。通信ユニット８０３は、送受信器、送受信回路などであってもよく、記憶ユニット８０１は、メモリであってもよい。
【０１４５】
前記処理ユニット８０２は、  前記通信ユニット８０３を介して第１ネットワーク側機器から送信した第１ハンドオーバー要求を受信し、前記第１ネットワーク側機器は、第１ネットワークに適用され、前記第２ネットワーク側機器は、第２ネットワークに適用され、端末が前記第１ネットワークにアタッチし、前記第１ハンドオーバー要求は、前記端末の第１端末情報を含み、また、前記処理ユニット８０２は、前記第１端末情報がハンドオーバー操作を開始するプリセット条件を満たすと決定すると、前記第２ネットワークのハンドオーバー準備リソースを前記端末に設定する。
【０１４６】
一例では、前記処理ユニット８０２は、前記第２ネットワークのハンドオーバー準備リソースを前記端末に設定した後、さらに、前記通信ユニット８０３を介してハンドオーバー準備確認メッセージを前記第１ネットワーク側機器に送信し、前記ハンドオーバー準備確認メッセージは、前記第２ネットワークのハンドオーバー計測設定を前記端末に送信するように前記第１ネットワーク側機器に指示することに用いられ、前記ハンドオーバー計測設定は、前記端末が前記第２ネットワークのネットワークチャンネル条件に対する第１計測結果が第１計測イベントを満たすと検出すると、ハンドオーバー確認メッセージを前記第２ネットワーク側機器に送信することに用いられ、また、前記処理ユニット８０２は、前記通信ユニット８０３を介して前記端末から送信したハンドオーバー確認メッセージを受信し、前記ハンドオーバー準備リソースに基づいて前記端末のハンドオーバー操作を完了させる。
【０１４７】
一例では、前記処理ユニット８０２は、前記ハンドオーバー準備リソースに基づいて前記端末のハンドオーバー操作を完了させた後、さらに、前記通信ユニット８０３を介して前記端末の第２端末情報を取得し、前記第２端末情報がハンドオーバー準備リソースを解放するプリセット条件を満たすと決定すると、前記第２ネットワークのハンドオーバー準備リソースを解放する。
【０１４８】
一例では、前記処理ユニット８０２は、前記ハンドオーバー準備リソースに基づいて前記端末のハンドオーバー操作を完了させた後、さらに、
前記通信ユニット８０３を介して前記端末の第２端末情報を取得し、前記第２端末情報がハンドオーバー準備リソースを解放するプリセット条件を満たすと決定すると、前記通信ユニット８０３を介して、前記第２ネットワークのハンドオーバー準備リソースを解放するように前記第１ネットワーク側機器に指示するためのリソース解放メッセージを、前記第１ネットワーク側機器に送信する。
【０１４９】
前記処理ユニット８０２はさらに、前記通信ユニット８０３を介して前記端末の第２端末情報を取得し、前記第２端末情報がハンドオーバー準備リソースを解放するプリセット条件を満たすと決定すると、第２ネットワークのハンドオーバー準備リソースを解放し、前記第２ネットワーク側機器は前記第２ネットワーク適用される。
【０１５０】
前記処理ユニット８０２はさらに、前記通信ユニット８０３を介して端末の第２端末情報を取得し、前記第２端末情報がハンドオーバー準備リソースを解放するプリセット条件を満たすと決定すると、前記第２ネットワークのハンドオーバー準備リソースを解放するように前記第１ネットワーク側機器に指示するためのリソース解放メッセージを、前記第１ネットワーク側機器に送信する。
【０１５１】
処理ユニット８０２がプロセッサであり、通信ユニット８０３が通信インターフェースであり、記憶ユニット８０１がメモリである場合、本発明の実施例に係るネットワーク側機器は、図８Ｂに示すネットワーク側機器であってもよい。
【０１５２】
図８Ｂに示すように、該ネットワーク側機器８１０は、プロセッサ８１２、送受信器８１３、メモリ８１１を備える。選択肢として、ネットワーク側機器８１０はさらにバス８１４を備えてもよい。送受信器ス８１３、プロセッサ８１２及びメモリ８１１は、バス８１４を介して相互接続されてもよく、バス８１４は、周辺機器相互接続スタンダード（Ｐｅｒｉｐｈｅｒａｌ  Ｃｏｍｐｏｎｅｎｔ  Ｉｎｔｅｒｃｏｎｎｅｃｔ、略語ＰＣＩ）バス又は拡張業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、略語ＥＩＳＡ）バスなどであってもよい。前記バス８１４は、アドレスバス、データバス、制御バスなどに分類されうる。表示の便宜上、図８Ｂには、１本の太線だけで示されるが、１本だけのバス又は１つのタイプのバスしかないと限らない。
【０１５３】
上記図８Ａ又は図８Ｂに示されるネットワーク側機器は、第２ネットワーク側機器用の装置と理解されてもよく、本発明の実施例では限定しない。
【０１５４】
集積ユニットを用いる場合、図９Ａには、上記実施例に係るネットワーク側機器の構造模式図の一例が示されており、該ネットワーク側機器は、図１に示されるモバイル通信システムの第２ネットワーク側機器である。ネットワーク側機器９００は、処理ユニット９０２及び通信ユニット９０３を備える。処理ユニット９０２は、ネットワーク側機器の動作に対する制御管理を行い、たとえば、処理ユニット９０２は、ネットワーク側機器による図５中の５０１、５０２及び／又は本明細書に記載の技術のほかの手順の実行をサポートする。通信ユニット９０３は、ネットワーク側機器とほかの機器との通信、たとえば、図１に示される第１ネットワーク側機器と、端末との通信をサポートする。ネットワーク側機器は、ネットワーク側機器のプログラムコード及びデータを記憶するための記憶ユニット９０１をさらに備えてもよい。
【０１５５】
処理ユニット９０２は、プロセッサ又はコントローラ、たとえば、中央プロセッサ（Ｃｅｎｔｒａｌ  Ｐｒｏｃｅｓｓｉｎｇ  Ｕｎｉｔ、ＣＰＵ）、汎用プロセッサ、デジタルシグナルプロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又はほかのプログラマブルロジックデバイス、トランジスタロジックデバイス、ハードウェア部材又はこれらの任意の組み合わせであってもよい。それは、本発明の開示内容に基づいて説明される各種例示的なロジックブロック、モジュール及び回路を実現又は実行できる。前記プロセッサは、コンピューティング機能を実現する組み合わせ、たとえば、１つ又は複数のマイクロプロセッサの組み合わせ、ＤＳＰとマイクロプロセッサとの組み合わせなどであってもよい。通信ユニット９０３は、送受信器、送受信回路などであってもよく、記憶ユニット９０１は、メモリであってもよい。
【０１５６】
前記処理ユニット９０２は、前記通信ユニット９０３を介して第１ネットワーク側機器から送信した第２ハンドオーバー要求を受信し、前記第２ハンドオーバー要求は端末の第３端末情報を含み、前記第３ネットワーク側機器は、前記第３ネットワークに適用され、前記第３端末情報がハンドオーバー操作を開始するプリセット条件を満たさないと決定すると、前記第３ネットワークのハンドオーバー準備リソースを解放するように前記第１ネットワーク側機器に指示するためのハンドオーバー準備拒否メッセージを、前記第１ネットワーク側機器に送信する。
【０１５７】
処理ユニット９０２がプロセッサであり、通信ユニット９０３が通信インターフェースであり、記憶ユニット９０１がメモリである場合、本発明の実施例に係るネットワーク側機器は、図９Ｂに示すネットワーク側機器であってもよい。
【０１５８】
図９Ｂに示すように、該ネットワーク側機器９１０は、プロセッサ９１２、送受信器９１３、メモリ９１１を備える。選択肢として、ネットワーク側機器９１０はさらにバス９１４を備えてもよい。送受信器９１３、プロセッサ９１２及びメモリ９１１は、バス９１４を介して相互接続されてもよく、バス９１４は、周辺機器相互接続スタンダード（Ｐｅｒｉｐｈｅｒａｌ  Ｃｏｍｐｏｎｅｎｔ  Ｉｎｔｅｒｃｏｎｎｅｃｔ、略語ＰＣＩ）バス又は拡張業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、略語ＥＩＳＡ）バスなどであってもよい。前記バス９１４は、アドレスバス、データバス、制御バスなどに分類されうる。表示の便宜上、図９Ｂには、１本の太線だけで示されるが、１本だけのバス又は１つのタイプのバスしかないと限らない。
【０１５９】
上記図９Ａ又は図９Ｂに示されるネットワーク側機器は、第３ネットワーク側機器用の装置と理解されてもよく、本発明の実施例では限定しない。
【０１６０】
本発明の実施例はさらに、モバイル通信システムを提供し、該モバイル通信システムは、上記図７Ａ又は図７Ｂに示されるネットワーク側機器、図８Ａ又は図８Ｂに示されるネットワーク側機器、図９Ａ又は図９Ｂに示されるネットワーク側機器、及び端末を備える。
【０１６１】
本発明の実施例に記載の方法又はアルゴリズムのステップは、ハードウェアの形態で実現されてもよいし、プロセッサがソフトウェア命令を実行することにより実現されてもよい。ソフトウェア命令は、対応するソフトウェアモジュールから構成され、ソフトウェアモジュールは、ランダムアクセスメモリ（Ｒａｎｄｏｍ  Ａｃｃｅｓｓ  Ｍｅｍｏｒｙ、ＲＡＭ）、フラッシュメモリ、読み出し専用メモリ（Ｒｅａｄ  Ｏｎｌｙ  Ｍｅｍｏｒｙ、ＲＯＭ）、消去可能プログラマブル読み出し専用メモリ（Ｅｒａｓａｂｌｅ  Ｐｒｏｇｒａｍｍａｂｌｅ  ＲＯＭ、ＥＰＲＯＭ）、電気的消去可能プログラマブル読み取り専用メモリ（Ｅｌｅｃｔｒｉｃａｌｌｙ  ＥＰＲＯＭ、ＥＥＰＲＯＭ）、レジスタ、ハードディスク、モバイルハードディスク、読み出し専用コンパクトディスク（ＣＤ−ＲＯＭ）又は本分野において知られている任意のほかの形態の記憶媒体に記憶されてもよい。記憶媒体の一例として、プロセッサが該記憶媒体から情報を読み取ったり、該記憶媒体に情報を書き込んだりするように、プロセッサに結合される。勿論、記憶媒体は、プロセッサの構成部分としてもよい。プロセッサ及び記憶媒体は、ＡＳＩＣに配置されてもよい。また、該ＡＳＩＣは、アクセスネットワーク機器、対象ネットワーク機器又はコアネットワーク機器に配置されてもよい。勿論、プロセッサ及び記憶媒体は、独立した部品としてアクセスネットワーク機器、対象ネットワーク機器又はコアネットワーク機器に存在してもよい。
【０１６２】
当業者にとって明らかなように、上記１つ又は複数の例では、本発明の実施例に記載の機能は、すべて又は部分的に、ソフトウェア、ハードウェア、ファームウェア又はこれらの任意の組み合わせにより実現できる。ソフトウェアで実現させる場合、すべて又は部分的に、コンピュータプログラム製品として実現できる。前記コンピュータプログラム製品は、１つ又は複数のコンピュータ命令を含む。コンピュータにおいて前記コンピュータプログラム命令をアップロードして実行すると、すべて又は部分的に本発明の実施例に記載のプロー又は機能を実行する。前記コンピュータは、汎用コンピュータ、専用コンピュータ、コンピュータネットワーク、又はほかのプログラマブル装置である。前記コンピュータ命令は、コンピュータ可読記憶媒体に記憶されたり、１つのコンピュータ可読記憶媒体から別のコンピュータ可読記憶媒体に伝送されたりすることができ、たとえば、前記コンピュータ命令は、１つのウェブサイト、コンピュータ、サーバー又はデータセンターから有線（たとえば、同軸ケーブル、光ファイバ、デジタル加入者線（Ｄｉｇｉｔａｌ  Ｓｕｂｓｃｒｉｂｅｒ  Ｌｉｎｅ、ＤＳＬ））又は無線（たとえば、赤外線、無線、マイクロ波等）の方式で別のウェブサイト、コンピュータ、サーバー又はデータセンターへ伝送できる。前記コンピュータ可読記憶媒体は、コンピュータがアクセス可能な任意の利用可能な媒体、又は１つ又は複数の利用可能な媒体を含む集積サーバー、データセンターなどのデータ記憶機器であってもよい。前記利用可能な媒体は、磁気媒体（たとえば、フロッピーディスク、ハードディスク、磁気テープ）、光媒体（たとえば、デジタルビデオディスク（Ｄｉｇｉｔａｌ  Ｖｉｄｅｏ  Ｄｉｓｃ、ＤＶＤ））、又は半導体媒体（たとえば、ソリッドステートディスク（Ｓｏｌｉｄ  Ｓｔａｔｅ  Ｄｉｓｋ、ＳＳＤ））などであってもよい。
【０１６３】
以上説明した具体な実施形態は、本発明の実施例の目的、技術案、及び有益な効果について詳細に説明したが、理解すべきなのは、以上は本発明の実施例の具体な実施形態に過ぎず、本発明の実施例の保護範囲を限定するものではなく、本発明の実施例の技術案に基づいて行われるいずれかの修正、同等置換、改良などは、すべて本発明の実施例の保護範囲に含まれる。
【図１】
0006900498.tif 000002
【図２】
0006900498.tif 000003
【図３】
0006900498.tif 000004
【図４】
0006900498.tif 000005
【図５】
0006900498.tif 000006
【図６】
0006900498.tif 000007
【図７Ａ】
0006900498.tif 000008
【図７Ｂ】
0006900498.tif 000009
【図８Ａ】
0006900498.tif 000010
【図８Ｂ】
0006900498.tif 000011
【図９Ａ】
0006900498.tif 000012
【図９Ｂ】
0006900498.tif 000013